(57)【特許請求の範囲】
【請求項１】
絶縁性の基材に塗布された液体状のレジンを乾燥させる装置であって、
多数の前記基材を収容可能な、プラスチック材料のネットを用いて作られた袋状の網目を有する収容体と、
多数の前記基材を収容した前記収容体の両側部を揺動アームに吊り下げて、これを揺動するための収容体揺動手段と、
前記収容体の取り付け位置の下方に落下した液体状のレジンを溜める容器と、を備え、
装置内の空気を装置外へ排出するためのファンおよび排気ダクトを装置の上部に配置し、空気取入れ口を装置の下部に配置して、装置内の空気が収容体の下から上へ流れるように構成され、
前記収容体揺動手段は、前記収容体の両側部を交互に上下させ、前記基材を攪拌しつつ、乾燥を行うことを特徴とするレジンの乾燥装置。
【請求項２】
前記収容体が揺動する角度を調整する機構を備えたことを特徴とする請求項１に記載のレジンの乾燥装置。
【請求項３】
絶縁性の基材に塗布された液体状のレジンを乾燥させる装置であって、
多数の前記基材を収容可能な、網目を有する収容体と、
多数の前記基材を収容した前記収容体の両側部を揺動アームに吊り下げて、該揺動アームは回転軸に支持された支点を中心に、モータの回転力を直線運動に変換して伝達するクランク機構により、前記揺動アームの両端が上下動する収容体揺動手段と、
前記クランク機構の伝達アームに複数の角度調整用穴を設け、該角度調整用穴の使用を変更することで、前記揺動アームの揺動角度を調整する揺動角度調整機構と、
前記収容体の取り付け位置の下方に落下した液体状のレジンを溜める容器と、を備え、
装置内の空気を装置外へ排出するためのファンおよび排気ダクトを装置の上部に配置し、空気取入れ口を装置の下部に配置して、装置内の空気が収容体の下から上へ流れるように構成され、
前記収容体揺動手段は、前記収容体の両側部を交互に上下させ、前記基材を攪拌しつつ、乾燥を行うことを特徴とするレジンの乾燥装置。
【請求項４】
前記収容体揺動手段は、前記収容体を１分間に４０〜６０回、揺動角度３０〜９０°で揺動させることを特徴とする請求項１または３に記載のレジンの乾燥装置。
【請求項５】
前記基材は、セラミック碍子であることを特徴とする請求項１または３に記載のレジンの乾燥装置。
【発明の詳細な説明】
【０００１】
【発明の属する技術分野】
本発明は、例えばリード線付抵抗器の製造プロセスのうち、セラミック碍子の抵抗皮膜を保護するレジン保護膜の形成プロセスに係り、特に、セラミック碍子等の絶縁性基材上に塗布された液体状のレジンを乾燥させる装置に関する。
【０００２】
【従来の技術】
リード線付抵抗器においては、セラミック碍子に抵抗皮膜を被着し、その上に抵抗皮膜の保護膜を形成するため、液体状のレジンを塗布して、これを乾燥させる乾燥工程を行って着膜碍子を作製する。従来、液体状のレジンを塗布し、これを乾燥させる工程は、抵抗皮膜を被着したセラミック碍子を金網のカゴに入れ、保護膜の素材（液体状レジン）を入れた容器にカゴごとセラミック碍子を浸たし、その後カゴを引き上げる。そして、セラミック碍子の抵抗皮膜上に液体状のレジンが付着した状態で、カゴへ熱風を送り、乾燥をしていた。
【０００３】
しかしながら、これらの従来の方法では下記のよう問題点があった。まず、余分のレジンがセラミック碍子に残り、塗りムラが多々発生するという問題点がある。また、レジンの塗布されたセラミック碍子がカゴの中で団子状にくっつく問題点がある。さらに、乾燥時間に長時間を要するという問題点があった。
【０００４】
【発明が解決しようとする課題】
本発明は上述した事情に鑑みて為されたもので、絶縁性の基材に液体状のレジンを塗布・乾燥するに際して、その作業時間を短縮し、且つレジン膜の塗りムラを防止できるレジンの乾燥装置を提供することを目的とする。
【０００５】
【課題を解決するための手段】
本発明のレジンの乾燥装置は、絶縁性の基材に塗布された液体状のレジンを乾燥させる装置であって、多数の前記基材を収容可能な、プラスチック材料のネットを用いて作られた袋状の網目を有する収容体と、多数の前記基材を収容した前記収容体の両側部を揺動アームに吊り下げて、これを揺動するための収容体揺動手段と、前記収容体の取り付け位置の下方に落下した液体状のレジンを溜める容器と、を備え、装置内の空気を装置外へ排出するためのファンおよび排気ダクトを装置の上部に配置し、空気取入れ口を装置の下部に配置して、装置内の空気が収容体の下から上へ流れるように構成され、前記収容体揺動手段は、前記収容体の両側部を交互に上下させ、前記基材を攪拌しつつ、乾燥を行うことを特徴とする。
【０００６】
また、上記装置を用いたレジンの乾燥方法は、網目を有する収容体に多数の絶縁性の基材を収容し、液体状のレジンを前記基材に付着させた後に、前記収容体の両側部を揺動アームの両端に吊り下げた状態で、前記揺動アームの両端を交互に上下させて揺動しつつ、乾燥用の空気を前記袋状の収容体に収容された多数の前記基材に吹き付けて乾燥を行うことを特徴とする。
【０００７】
上述した本発明によれば、液体状のレジンを基材（セラミック碍子）に付着させた状態で、前記収容体の両側部を交互に上下させて揺動しつつ、乾燥用の空気を吹き付けて乾燥を行うことで、基材が収容体内部で十分に攪拌され、移動しつつ乾燥が行われる。これにより、基材同士の付着や、基材が収容体内壁に付着することを防止でき、レジン保護膜を基材表面に均一に形成することが可能となる。また、効率的な乾燥を行えるので、作業時間の短縮が可能である。また、袋状の収容体の網目から余分なレジンが落下し、下のレジン容器に返却され、塗りムラを防止できると共に、レジンの使用量の節約が図れる。
【０００８】
【発明の実施の形態】
以下、本発明の実施の形態について添付図面を参照しながら説明する。
【０００９】
図１は、本発明の実施形態の装置正面図（開扉状態）を示し、図２は、装置側面図（部分断面図）を示す。これらの図に示すように、本装置は、多数の抵抗基材（セラミック碍子に抵抗皮膜を形成したもの）を収容可能な、網目を有する袋状の収容体（ネット）７と、収容体の揺動アーム４と、乾燥用空気の供給手段としてのファン２と、レジン容器８と、コントローラ３等を備えた筺体１３で構成されている。ここで、収容体７は、ポリエチレンまたはポリエステル等のプラスチック材料のネットを袋状にしたものである。このネットを袋状にした収容体７は、柔軟性があるため、収容された基材に必要以上に衝撃を与えず、基材同士を適度にこすり合わせながら満遍なく攪拌するのに適している。袋状の収容体（ネット）７は、その両側部が揺動アーム４の両端にそれぞれＳ字フック６により吊り下げられている。なお、図示の状態は、多数の抵抗基材（セラミック碍子に抵抗皮膜を形成したもの）３０を収容して、レジン液中に漬けて、基材表面に液体状のレジンを付着し、その後の乾燥段階を示している。
【００１０】
収容体揺動手段は、１台のモータ１１と、そのモータの回転力を直線運動に変換して伝達するクランク機構と、揺動アーム４等から成り立っている。クランク機構は、モータ側のアーム２１、伝達アーム２２、２３等から構成され、モータ１１の回転力はアーム２１，２２，２３により直線的運動として揺動アーム４へ伝達され、揺動アーム４は回転軸２４に支持された支点５を中心に、その両端が交互に上下動（揺動）する。袋状の収容体（ネット）７は、その両側部が揺動アーム４の両端にそれぞれ吊り下げられているので、揺動アーム４の両端の上下動に伴って揺動する。
【００１１】
乾燥用空気供給機構は、排気ダクト１、ファン２、吸気ダクト９から構成されている。乾燥用空気発生器（図示せず）から供給される乾燥用空気は吸気ダクト９を通して本装置の筐体１３内へ導入される。なお、吸気ダクト９や乾燥用空気発生器を用いない構成にしてもよい。この場合、筐体１３に空気取入れ口を設けておき、本発明の装置が設置される室内の空気を乾燥用空気として取り入れるようにしてもよい。ファン２を筐体１３の上部に配置し、また、吸気ダクト９（又は空気取入れ口）を筐体１３の下部に配置したのは、乾燥用空気が下から上へ流れて、袋状の収容体（ネット）７内の多数のセラミック碍子に下側から満遍なく当たるようにするためである。乾燥用の空気は、収容体７内の多数のセラミック碍子表面に付着した液体状のレジン膜を乾燥させた後、排気ダクト１を通じて装置外へ排出される。コントローラ３は装置の動作を集中管理すると共に、例えばファンの回転数を制御することにより排気の風量を決定している。また、揺動アームの振動回数、乾燥装置の動作時間、乾燥用空気の温度等は任意に設定が可能である。
【００１２】
図３は、揺動アームの揺動と収容体内の１ロット分のセラミック碍子の動きを示している。図３（ａ）は、揺動アーム４が水平の時であり、多数のセラミック碍子３０は袋状の収容体７内部に略水平に分布している。（ｂ）は、揺動アーム４が反時計方向に回転した時であり、多数のセラミック碍子３０は袋状の収容体７の内部に傾斜して分布し、攪拌された状態となっている。（ｃ）は、揺動アーム４が時計方向に回転した時であり、多数のセラミック碍子３０は袋状の収容体７の内部に反対方向に傾斜して分布し、同様に攪拌された状態となっている。
【００１３】
このように揺動アーム４が支点５を中心として、その両端が上下動（揺動）することで、揺動アーム４の両端に吊り下げられた袋状の収容体７内部の多数のセラミック碍子３０は収容体（袋）内部で攪拌され、相互にぶつかりあい、こすれあった状態となっている。そして、乾燥用空気が供給された状態で、セラミック碍子同士が相互にぶつかりあい、こすれあうことにより、それぞれの碍子表面にレジンが均一に付着して乾燥することになる。余分のレジンは収容体（ネット）７の網目より落下してレジン容器８に収容される。
【００１４】
図４は、揺動角度調整機構の実施例を示す。上述した揺動アーム４の揺動は、１台のモータ１１の回転力を直線運動に変換することにより行われる。回転力伝達機構の伝達アーム２２に角度調整用穴２５，２６，２７，２８を設けている。図示の例は、角度調整用穴２６を使用している状態である。角度調整用穴２６の使用を変更し、角度調整用穴２５，２７，２８を使用すれば、作業目的に合わせて揺動角度を調整することが可能である。
【００１５】
次に、本発明のレジンの乾燥方法について説明する。まず、プラスチック材料のネットにより構成された袋状の収容体７に多数の例えば１ロット分の抵抗被膜を着膜したセラミック碍子を収容する。そして、袋状の収容体７をレジン液中に浸漬し、セラミック碍子の表面に液体状のレジンを付着する。そして、Ｓ字フック６を用いて収容体７の両側部を揺動アーム４の両端に吊り下げる。そして、モータ１１を回転させ、クランク機構２１，２２，２３により揺動アーム４を揺動する。これにより、上述した図３に示すように収容体（袋）７内部の多数のセラミック碍子が攪拌され、互いにぶつかり合い又擦れあった状態となる。この間に余分なレジンは収容体（袋）７の網目より落下し、下方に設けられたレジン容器８に収容される。そして、収容体（袋）７の揺動を行いつつ乾燥用空気をファン２の動作により供給することで、セラミック碍子上に付着した液体状レジンの乾燥が進行する。そして、所定の温度の乾燥用空気を所定時間供給することで、良質のレジン保護膜がセラミック碍子表面に形成される。
【００１６】
セラミック碍子に抵抗皮膜を形成し、その表面に付着した液体状レジンの乾燥工程で、収容体（ネット）７の振動回数は１分間に４０〜６０回程度、揺動角度は３０°〜９０°で行うと良質のレジン膜が得られた。しかしながら、揺動角度と振動回数および乾燥時間・温度等については、乾燥対象物の特性に対応して任意に設定することができる。
【００１７】
尚、上記の実施形態は本発明の実施例の一態様を述べたもので、本発明の趣旨を逸脱することなく種々の変形実施例が可能なことは勿論である。即ち、上記実施形態はセラミック碍子に抵抗皮膜を形成し、その表面に付着した液体状レジンの乾燥工程についての適用例について説明したが、各種電子部品について液体状レジンの乾燥工程に、本発明の趣旨を同様に適用できることは勿論である。また、上述のように、収容体はプラスチック材料のネットを袋状にしたものが好ましいが、金属やプラスチック等のカゴ状のものを用いてもよい。
【００１８】
【発明の効果】
上述した本発明によれば、液体状レジンを付着した多数のセラミック碍子を袋状の収容体（ネット）に入れ、その両側部を交互に上下動（揺動）することにより、十分な攪拌効果が得られる。従って、碍子同士の付着や碍子が収容体の内壁に付着することが無くなり、碍子表面に均一なレジン保護膜を作成できる。さらに、余分なレジンは収容体（ネット）の網目より落下し、レジン容器に返却されるので、無駄なレジンの使用がなく、製造コストの低減に結びつく。
【図面の簡単な説明】
【図１】本発明の実施形態の乾燥装置を示す正面図（開扉の状態）である。
【図２】図１に示す乾燥装置の側面図（部分断面図）である。
【図３】収容体（袋）の揺動する状態を示す図であり、（ａ）は揺動アームが水平の状態を示し、（ｂ）は揺動アームが反時計方向へ回転した状態を示し、（ｃ）は揺動アームが時計方向へ回転した状態をそれぞれ示している。
【図４】揺動角度調整機構を説明する図である。
【符号の説明】
１                排気ダクト
２                ファン
３                コントローラ
４                揺動アーム
５                揺動アームの支点
６                Ｓ字フック
７                収容体（袋）
８                レジン容器
９                吸気ダクト
１１              モータ
１２              モータの回転軸
１３              筐体
１４              扉
２１              モータ側アーム
２２，２３              伝達アーム
２４              回転軸
２５、２６、２７、２８  角度調整用穴
３０              処理される１ロットの碍子
【図１】
0003871561.tif 000002
【図２】
0003871561.tif 000003
【図３】
0003871561.tif 000004
【図４】
0003871561.tif 000005